(57)【要約】【課題】物体の置き忘れを効果的に抑制できる照明装置を提供する。【解決手段】照明装置１は、発光部７と、物体検知部５と、制御部３とを備える。発光部７は、光を出射する。物体検知部５は、物体が所定箇所に位置しているか否かを検知する。制御部３は、物体が所定箇所に位置することを物体検知部５が検知した場合に、第１発光パターンＰＴ１に従って発光部７が光を出射するように、発光部７を制御する。第１発光パターンＰＴ１は、発光部７が点滅することと点灯を持続することとを互いに異なる期間に実行することを示す。【選択図】図１
2018170094.tif 000002
【特許請求の範囲】
【請求項１】
光を出射する発光部と、
物体が所定箇所に位置しているか否かを検知する物体検知部と、
前記物体が前記所定箇所に位置することを前記物体検知部が検知した場合に、第１発光パターンに従って前記発光部が光を出射するように、前記発光部を制御する制御部と
を備え、
前記第１発光パターンは、前記発光部が点滅することと点灯を持続することとを互いに異なる期間に実行することを示す、照明装置。
【請求項２】
人が動いたか否かを検知する人検知部をさらに備え、
前記物体が前記所定箇所に位置することを前記物体検知部が検知するとともに、前記人が動いたことを前記人検知部が検知した場合に、前記第１発光パターンに従って前記発光部が光を出射するように、前記制御部は前記発光部を制御する、請求項１に記載の照明装置。
【請求項３】
前記発光部が点灯を持続している期間中に、前記人が動いたことを前記人検知部が検知した場合に、前記発光部が点滅するように、前記制御部は前記発光部を制御する、請求項２に記載の照明装置。
【請求項４】
導光板として機能する載置部をさらに備え、
前記載置部は、
前記発光部と対向し、光を入射する入射面と、
前記物体が載置される載置面と
を有し、
前記物体が前記所定箇所としての前記載置面に載置されたことを前記物体検知部が検知した場合に、前記第１発光パターンに従って前記発光部が光を出射するように、前記制御部は前記発光部を制御する、請求項１から請求項３のいずれか１項に記載の照明装置。
【請求項５】
前記物体が前記所定箇所に位置することを前記物体検知部が検知した場合に、前記第１発光パターンと第２発光パターンと第３発光パターンとのうちのいずれかの発光パターンに従って前記発光部が光を出射するように、前記制御部は前記発光部を制御し、
前記第２発光パターンは、前記発光部が点滅することなく点灯を持続することを示し、
前記第３発光パターンは、前記発光部が点灯を持続することなく点滅することを示す、請求項１から請求項４のいずれか１項に記載の照明装置。
【請求項６】
前記制御部は、前記第１発光パターンを繰り返すように、前記発光部を制御する、請求項１から請求項５のいずれか１項に記載の照明装置。
【発明の詳細な説明】
【技術分野】
【０００１】
本発明は、照明装置に関する。
【背景技術】
【０００２】
特許文献１に記載された画像プリントシステムは、忘れ物防止機能を有する。具体的には、画像プリントシステムは、撮影空間の出入口に人体検知センサーを設置している。また、画像出力装置には、重量検知センサーを有する荷物ネットが取り付けられる。利用者が、荷物ネットに荷物を入れ、荷物が入った状態で外に出ると、画像出力装置は、重量検知センサーからの検知信号と、人体検知センサーからの検知信号とを受信し、スピーカーによって、「忘れ物注意」を促す警報音を出力する。その結果、荷物の置き忘れを抑制できる。
【先行技術文献】
【特許文献】
【０００３】
【特許文献１】特開２００４−２９５５２９号公報
【発明の概要】
【発明が解決しようとする課題】
【０００４】
しかしながら、特許文献１に記載された画像プリントシステムでは、音によって警報を実行するため、利用者の周囲環境の音（例えば、放送、音楽、又はイヤホンによる音楽鑑賞）が雑音になって、利用者が警報音を聞き取り難い場合がある。その結果、荷物（物体）の置き忘れを効果的に抑制できない。
【０００５】
本発明は上記課題に鑑みてなされたものであり、その目的は、物体の置き忘れを効果的に抑制できる照明装置を提供することにある。
【課題を解決するための手段】
【０００６】
本願に開示する照明装置は、発光部と、物体検知部と、制御部とを備える。発光部は、光を出射する。物体検知部は、物体が所定箇所に位置しているか否かを検知する。制御部は、前記物体が前記所定箇所に位置することを前記物体検知部が検知した場合に、第１発光パターンに従って前記発光部が光を出射するように、前記発光部を制御する。前記第１発光パターンは、前記発光部が点滅することと点灯を持続することとを互いに異なる期間に実行することを示す。
【０００７】
本願に開示する照明装置は、人が動いたか否かを検知する人検知部をさらに備えることが好ましい。前記物体が前記所定箇所に位置することを前記物体検知部が検知するとともに、前記人が動いたことを前記人検知部が検知した場合に、前記第１発光パターンに従って前記発光部が光を出射するように、前記制御部は前記発光部を制御することが好ましい。
【０００８】
本願に開示する照明装置において、前記発光部が点灯を持続している期間中に、前記人が動いたことを前記人検知部が検知した場合に、前記発光部が点滅するように、前記制御部は前記発光部を制御することが好ましい。
【０００９】
本願に開示する照明装置は、導光板として機能する載置部をさらに備えることが好ましい。前記載置部は、入射面と、載置面とを有することが好ましい。入射面は、前記発光部と対向し、光を入射することが好ましい。載置面には、前記物体が載置されることが好ましい。前記物体が前記所定箇所としての前記載置面に載置されたことを前記物体検知部が検知した場合に、前記第１発光パターンに従って前記発光部が光を出射するように、前記制御部は前記発光部を制御することが好ましい。
【００１０】
本願に開示する照明装置において、前記物体が前記所定箇所に位置することを前記物体検知部が検知した場合に、前記第１発光パターンと第２発光パターンと第３発光パターンとのうちのいずれかの発光パターンに従って前記発光部が光を出射するように、前記制御部は前記発光部を制御することが好ましい。前記第２発光パターンは、前記発光部が点滅することなく点灯を持続することを示すことが好ましい。前記第３発光パターンは、前記発光部が点灯を持続することなく点滅することを示すことが好ましい。
【発明の効果】
【００１１】
本発明によれば、物体の置き忘れを効果的に抑制できる。
【図面の簡単な説明】
【００１２】
【図１】（ａ）は、本発明の実施形態１に係る照明装置を示す図である。（ｂ）は、実施形態１に係る第１発光パターンを示す図である。（ｃ）は、実施形態１に係る第２発光パターンを示す図である。（ｄ）は、実施形態１に係る第３発光パターンを示す図である。
【図２】実施形態１に係る照明装置の制御部を示す図である。
【図３】（ａ）は、本発明の実施形態２に係る照明装置を示す図である。（ｂ）は、実施形態２に係る第１発光パターンを示す図である。（ｃ）は、実施形態２に係る第２発光パターンを示す図である。（ｄ）は、実施形態２に係る第３発光パターンを示す図である。
【図４】（ａ）は、本発明の実施形態３に係る第１報知パターンを示す図である。（ｂ）は、実施形態３に係る第２報知パターンを示す図である。
【図５】（ａ）は、実施形態３に係る第３報知パターンを示す図である。（ｂ）は、実施形態３に係る第４報知パターンを示す図である。（ｃ）は、実施形態３に係る第５報知パターンを示す図である。（ｄ）は、実施形態２に係る第６報知パターンを示す図である。
【図６】（ａ）は、実施形態３に係る第７報知パターンを示す図である。（ｂ）は、実施形態３に係る第８報知パターンを示す図である。（ｃ）は、実施形態３に係る第９報知パターンを示す図である。
【図７】（ａ）は、本発明の実施形態４に係る照明装置を示す斜視図である。（ｂ）は、実施形態３に係る照明装置の内部構成を示す平面図である。
【発明を実施するための形態】
【００１３】
以下、本発明の実施形態について、図面を参照しながら説明する。なお、図中、同一または相当部分については同一の参照符号を付して説明を繰り返さない。また、本明細書において、三次元直交座標系のＸ軸及びＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１４】
（実施形態１）
図１（ａ）〜図２を参照して、本発明の実施形態に係る照明装置１について説明する。図１（ａ）は、照明装置１を示す図である。図１（ａ）に示すように、照明装置１は、制御部３と、物体検知部５と、発光部７とを備える。照明装置１は、例えば、物体の置き忘れを抑制する装置として機能する。
【００１５】
発光部７は光を出射する。発光部７は、例えば、単数又は複数の発光素子を含む。発光素子は、発光し、例えば、ＬＥＤ（Ｌｉｇｈｔ  Ｅｍｉｔｔｉｎｇ  Ｄｉｏｄｅ）である。
【００１６】
物体検知部５は、物体が所定箇所に位置するか否かを検知する。物体検知部５は、例えば、物体が所定箇所に載置されると、物体が所定箇所に位置することを検知する。また、物体検知部５は、例えば、物体が所定箇所から離間すると、物体が所定箇所に位置しないことを検知する。所定箇所は、例えば、物体を載置する台のような載置部の載置面を示す。
【００１７】
具体的には、物体検知部５は、物体から直接的又は間接的に物体検知部５が受ける荷重を検知する。物体検知部５は、例えば、荷重を検出するロードセルのような荷重センサー、又は、アクチュエーターを介して荷重を検出するリミットスイッチである。
【００１８】
また、物体検知部５は、第１検知信号ＳＧ１を制御部３に出力する。第１検知信号ＳＧ１は、物体が所定箇所に位置するか否かを示す。従って、制御部３は、第１検知信号ＳＧ１によって、物体が所定箇所に位置するか否かを認識できる。制御部３は、例えば、第１検知信号ＳＧ１によって、物体が所定箇所に載置されたこと又は物体が所定箇所から離間したことを認識できる。
【００１９】
本明細書において、物体は、例えば、手荷物である。また、物体検知部５は、例えば、人の手から離れた手荷物を検知する。人の手から離れた手荷物は、例えば、台に載置された手荷物である。従って、例えば、照明装置１は、トイレットルームでの手荷物の置き忘れを抑制する装置として機能する。
【００２０】
制御部３は、物体検知部５の検知結果に基づいて発光部７を制御する。具体的には、物体が所定箇所に位置することを物体検知部５が検知した場合に、第１発光パターンＰＴ１に従って発光部７が光を出射するように、制御部３は発光部７を制御する。第１発光パターンＰＴ１は、発光部７が点滅することと点灯を持続することとを互いに異なる期間に実行することを示す。また、第１発光パターンＰＴ１に従って発光部７が光を出射している期間に、物体が所定箇所から離間したことを物体検知部５が検知した場合に、発光部７が消灯するように、制御部３は発光部７を制御する。
【００２１】
ここで、「点滅」は、所定期間内で照度が繰り返し変動することを示す。「点滅」は、例えば、照度が、所定期間内において、第１照度値ＬＶ１と第２照度値ＬＶ２との間で繰り返し変動することを示す。第２照度値ＬＶ２は第１照度値ＬＶ１よりも大きい。第１照度値ＬＶ１は、例えば、ゼロである。第１照度値ＬＶ１がゼロであることは、「消灯」を示す。また、「点灯」は、照度がゼロよりも大きいことを示す。そして、「点灯の持続」は、所定期間内で照度が繰り返し変動せず、かつ、所定期間内に消灯を含まないことを示す。「消灯」は、照度がゼロであることを示す。「点灯の持続」は、典型的には、所定期間内で照度が一定であることを示す。「点灯」は、例えば、照度が、所定期間内において、第２照度値ＬＶ２であることを示す。
【００２２】
次に、図１（ｂ）を参照して、第１発光パターンＰＴ１について説明する。図１（ｂ）は、第１発光パターンＰＴ１を示す図である。図１（ｂ）に示すように、第１発光パターンＰＴ１は、第１期間Ｐ１での発光部７の点滅と、第２期間Ｐ２での発光部７の点灯の持続とを含む。第２期間Ｐ２は、第１期間Ｐ１に後続する期間である。
【００２３】
具体的には、物体が所定箇所に位置することを時刻ｔ０に物体検知部５が検知すると、発光部７が第１期間Ｐ１に周期Ｔ１で点滅するように、制御部３は発光部７を制御する。次に、制御部３は、発光部７の点滅を終了して、発光部７が第２期間Ｐ２に点灯を持続するように、発光部７を制御する。
【００２４】
また、第１期間Ｐ１又は第２期間Ｐ２のいずれかで、物体が所定箇所から離間したことを物体検知部５が検知した場合に、発光部７が消灯するように、制御部３は発光部７を制御する。
【００２５】
以上、図１（ａ）及び図１（ｂ）を参照して説明したように、実施形態１によれば、例えば、物体の所有者が、所用（例えば、用便）を済ませるために、物体を手放して物体を所定箇所に載置すると、物体は所定箇所に位置する。従って、物体検知部５が物体を検知するため、発光部７は、第１発光パターンＰＴ１に従って光を出射する。その結果、物体が所定箇所に載置されていることを、物体の所有者に対して光によって報知でき、所定箇所への物体の置き忘れを抑制できる。
【００２６】
特に、実施形態１では、物体が所定箇所に載置されていることを光によって報知するため、物体の所有者の周囲環境の音（例えば、放送、音楽、又はイヤホンによる音楽鑑賞）に報知が影響を受けることを抑制できる。その結果、所定箇所への物体の置き忘れを効果的に抑制できる。
【００２７】
加えて、実施形態１では、点滅と点灯の持続とをそれぞれ異なる期間に実行することにより、発光部７の発光動作に変化を与えている。従って、単調な点滅だけを実行する場合又は単調な点灯の持続だけを実行する場合と比較して、物体の所有者に対して、物体を置き忘れないように効果的に注意を喚起できる。
【００２８】
また、実施形態１によれば、第１発光パターンＰＴ１では、第１期間Ｐ１が第２期間Ｐ２よりも前に設定される。従って、点灯の持続よりも刺激の強い点滅が最初に実行される。その結果、物体の所有者に対して、物体を置き忘れないように効果的な刺激を即座に与えることができる。
【００２９】
さらに、実施形態１によれば、第１発光パターンＰＴ１では、第１期間Ｐ１が第２期間Ｐ２よりも短い。従って、点灯の持続よりも刺激の強い点滅の期間を短くしている。その結果、物体の所有者が光刺激によって所用（例えば、用便）の遂行を阻害されることを抑制できる。
【００３０】
さらに、実施形態１によれば、物体が所定箇所から離間したことを物体検知部５が検知した場合に、発光部７が消灯する。従って、電力の消費を抑制できる。なお、物体が所定箇所から離間したことは、物体の所有者が所定箇所から物体を引き取った可能性が高いことを示すため、発光部７が消灯しても、物体の置き忘れを抑制するという目的は達成されている。
【００３１】
さらに、実施形態１において、制御部３は、第１発光パターンＰＴ１を繰り返すように、発光部７を制御することが好ましい。そして、物体が所定箇所から離間したことを物体検知部５が検知した場合に、発光部７が消灯するように、制御部３は発光部７を制御することが好ましい。
【００３２】
従って、実施形態１によれば、物体が所定箇所から離間するまで、例えば、物体の所有者が物体を所定箇所から引き取るまで、第１発光パターンＰＴ１が繰り返されるため、所定箇所への物体の置き忘れを更に効果的に抑制できる。
【００３３】
さらに、実施形態１において、物体が所定箇所に位置することを物体検知部５が検知した場合に、互いに異なる複数の発光パターンのうちのいずれかの発光パターンに従って発光部７が光を出射するように、制御部３が発光部７を制御することが好ましい。実施形態１では、複数の発光パターンは、第１発光パターンＰＴ１と、第２発光パターンＰＴ２と、第３発光パターンＰＴ３とを含む。第２発光パターンＰＴ２は、発光部７が点滅することなく点灯を持続することを示す。第３発光パターンＰＴ３は、発光部７が点灯を持続することなく点滅することを示す。
【００３４】
次に、図１（ａ）〜図１（ｄ）を参照して、第１発光パターンＰＴ１、第２発光パターンＰＴ２、及び第３発光パターンＰＴ３について説明する。図１（ｃ）は、第２発光パターンＰＴ２を示す図である。図２（ｄ）は、第３発光パターンＰＴ３を示す図である。
【００３５】
図１（ａ）に示すように、照明装置１は入力部９をさらに備えることが好ましい。入力部９は、照明装置１の管理者によって操作され、発光パターンの選択情報ＳＬの入力を管理者から受け付ける。発光パターンの選択情報ＳＬは、第１発光パターンＰＴ１と第２発光パターンＰＴ２と第３発光パターンＰＴ３とのうちのいずれかの発光パターンを示す。入力部９は、例えば、複数段のスイッチを含む。
【００３６】
図１（ｂ）に示すように、選択情報ＳＬが第１発光パターンＰＴ１を示している場合に、物体が所定箇所に位置することを物体検知部５が検知すると、第１発光パターンＰＴ１に従って発光部７が光を出射するように、制御部３は発光部７を制御する。
【００３７】
図１（ｃ）に示すように、選択情報ＳＬが第２発光パターンＰＴ２を示している場合に、物体が所定箇所に位置することを物体検知部５が検知すると、制御部３は、第２発光パターンＰＴ２に従って発光部７が光を出射するように、発光部７を制御する。
【００３８】
具体的には、第２発光パターンＰＴ２は、第３期間Ｐ３での発光部７の点灯の持続を含む。そして、物体が所定箇所に位置することを時刻ｔ０に物体検知部５が検知すると、発光部７が第３期間Ｐ３に点灯を持続するように、制御部３は発光部７を制御する。
【００３９】
図１（ｄ）に示すように、選択情報ＳＬが第３発光パターンＰＴ３を示している場合に、物体検知部５が物体を検知すると、制御部３は、第３発光パターンＰＴ３に従って発光部７が光を出射するように、発光部７を制御する。
【００４０】
具体的には、第３発光パターンＰＴ３は、第４期間Ｐ４での発光部７の点滅を含む。そして、物体が所定箇所に位置することを時刻ｔ０に物体検知部５が検知すると、発光部７が第４期間Ｐ４に周期Ｔ２で点滅するように、制御部３は発光部７を制御する。
【００４１】
なお、第１期間Ｐ１〜第４期間Ｐ４のいずれかで、物体が所定箇所から離間したことを物体検知部５が検知した場合は、発光部７が消灯するように、制御部３は発光部７を制御する。従って、電力の消費を抑制できる。
【００４２】
以上、図１（ａ）〜図１（ｄ）を参照して説明したように、実施形態１によれば、照明装置１の管理者は、入力部９を操作して、第１発光パターンＰＴ１〜第３発光パターンＰＴ３のうちから所望の発光パターンを選択できる。その結果、管理者は、照明装置１の周囲環境に応じた適切な発光パターンを選択できる。
【００４３】
また、実施形態１によれば、発光部７は、第１発光パターンＰＴ１〜第３発光パターンＰＴ３のうちのいずれかの発光パターンに従って光を出射することができる。従って、物体の所有者に対して、物体が所定箇所に載置されていることを、照明装置１の周囲環境に応じた適切な発光パターンによって報知できる。その結果、所定箇所への物体の置き忘れを更に効果的に抑制できる。
【００４４】
次に、図２を参照して、制御部３について説明する。図２は、制御部３を示す図である。図２に示すように、照明装置１には、商用電源１００から交流電源電圧が印加される。照明装置１の制御部３は、電源回路１１と、マイクロコンピューター１３と、点灯回路１５とを含む。
【００４５】
電源回路１１は、商用電源１００から印加される交流電源電圧を直流電源電圧に変換し、直流電源電圧をマイクロコンピューター１３及び点灯回路１５に印加する。物体が所定箇所に位置することを物体検知部５が検知すると、入力部９からの選択情報ＳＬによって示される発光パターンに従って光を出射するように、マイクロコンピューター１３は点灯回路１５を制御する。そして、点灯回路１５は、マイクロコンピューター１３の制御に従って発光部７に電力を供給する。その結果、発光部７は、選択情報ＳＬによって示される発光パターンに従った光を出射する。
【００４６】
（実施形態２）
図２〜図３（ｄ）を参照して、本発明の実施形態２に係る照明装置１Ａについて説明する。実施形態２に係る照明装置１Ａは、人検知部２１を備える点で、実施形態１に係る照明装置１と主に異なる。以下、照明装置１Ａが照明装置１と相違する点を主に説明する。
【００４７】
図３（ａ）は、照明装置１Ａを示す図である。図３（ａ）に示すように、照明装置１Ａは、制御部３と、物体検知部５と、発光部７と、人検知部２１とを備える。照明装置１Ａは、例えば、物体の置き忘れを抑制する装置として機能する。
【００４８】
人検知部２１は、被検知体としての人が動いたか否かを検知する。人検知部２１は、例えば、人感センサーである。人感センサーは、人などが放射する赤外線を検知して、人などの動きを検知する。換言すれば、人検知部２１は、動き検知部として機能し、被検知体が動いたか否かを検知する。被検知体は人を含む。人検知部２１は、例えば、被検知体が放射する赤外線を検知して、被検知体の動きを検知する。
【００４９】
また、人検知部２１は、第２検知信号ＳＧ２を制御部３に出力する。第２検知信号ＳＧ２は、被検知体としての人が動いたか否かを示す。従って、制御部３は、第２検知信号ＳＧ２によって、被検知体としての人が動いたか否かを認識できる。
【００５０】
制御部３は、物体検知部５の検知結果と人検知部２１の検知結果とに基づいて発光部７を制御する。具体的には、物体が所定箇所に位置することを物体検知部５が検知するとともに、人が動いたことを人検知部２１が検知した場合に、第１発光パターンＰＴ１に従って発光部７が光を出射するように、制御部３は発光部７を制御する。従って、物体が所定箇所に位置することを物体検知部５が検知しつつ、人が動いたことを人検知部２１が検知する限り、制御部３は、第１発光パターンＰＴ１に従って光を出射するように発光部７を制御することを繰り返す。例えば、発光部７が第１発光パターンＰＴ１に従った光の出射を終了した後において、物体が所定箇所に位置することを物体検知部５が検知している限り、人が動いたことを人検知部２１が再び検知すると、第１発光パターンＰＴ１に従って光を出射するように、制御部３が発光部７を制御する。
【００５１】
また、第１発光パターンＰＴ１に従って発光部７が光を出射している期間に、物体が所定箇所から離間したことを物体検知部５が検知した場合に、発光部７が消灯するように、制御部３は発光部７を制御する。
【００５２】
さらに、発光部７が点灯を持続している期間中に、人が動いたことを人検知部２１が検知した場合に、発光部７が点滅するように、制御部３が発光部７を制御することが好ましい。例えば、この場合、発光部７が特定期間だけ点滅するように、制御部３が発光部７を制御する。
【００５３】
次に、図３（ｂ）を参照して、第１発光パターンＰＴ１について説明する。図３（ｂ）は、第１発光パターンＰＴ１を示す図である。図３（ｂ）に示すように、照明装置１Ａと照明装置１とでは、第１発光パターンＰＴ１を実行するタイミングが異なる。
【００５４】
すなわち、物体が所定箇所に位置することを時刻ｔ０に物体検知部５が検知する。そして、人が動いたことを時刻ｔ０よりも後の時刻ｔ１に人検知部２１が検知すると、発光部７が第１期間Ｐ１に周期Ｔ１で点滅するように、制御部３は発光部７を制御する。次に、制御部３は、発光部７の点滅を終了して、発光部７が第２期間Ｐ２に点灯を持続するように、発光部７を制御する。
【００５５】
第２期間Ｐ２の経過後において、物体が所定箇所に位置することを物体検知部５が検知している限り、人が動いたことを人検知部２１が再び検知すると、第１発光パターンＰＴ１に従って光を出射するように、制御部３が発光部７を制御する。
【００５６】
また、第１期間Ｐ１又は第２期間Ｐ２のいずれかで、物体が所定箇所から離間したことを物体検知部５が検知した場合に、発光部７が消灯するように、制御部３は発光部７を制御する。
【００５７】
さらに、人が動いたことを人検知部２１が第２期間Ｐ２に検知した場合に、発光部７が点滅するように、制御部３は発光部７を制御することが好ましい。
【００５８】
以上、図３（ａ）及び図３（ｂ）を参照して説明したように、実施形態２によれば、例えば、物体の所有者が、所用（例えば、用便）を済ませるために、物体を手放して物体を所定箇所に載置すると、物体は所定箇所に位置する。従って、物体検知部５が物体を検知する。更に、物体の所有者が、所用を開始するために動くと（例えば、便座に座ると）、人検知部２１が物体の所有者である人の動きを検知する。従って、発光部７は、第１発光パターンＰＴ１に従って光を出射する。その結果、物体が所定箇所に載置されていることを、物体の所有者に対して光によって報知でき、所定箇所への物体の置き忘れを抑制できる。
【００５９】
また、実施形態２によれば、所定箇所に物体を載置したままであると、物体検知部５が物体を継続して検知している。そして、物体の所有者が、所用を終了して動くと（例えば、便座から立ち上がってトイレットルームから退出するために動くと）、人検知部２１が物体の所有者である人の動きを検知する。従って、発光部７は、再び第１発光パターンＰＴ１に従って光を出射する。その結果、物体が所定箇所に載置されたままであることを、物体の所有者に対して光によって報知でき、所定箇所への物体の置き忘れを効果的に抑制できる。特に、所用の終了後での光による報知を実行できるため、物体の置き忘れを効果的に抑制できる。その他、実施形態２は、実施形態１と同様の効果を有する。
【００６０】
さらに、実施形態２によれば、第１発光パターンＰＴ１に従った光の出射が一旦終了した後でも、物体が所定箇所に位置することを物体検知部５が検知しつつ、物体の所有者である人が動いたことを人検知部２１が検知する限り、発光部７は、第１発光パターンＰＴ１に従った光の出射を繰り返す。従って、物体の所有者が動くたびに、物体が所定箇所に載置されていることを、物体の所有者に対して光によって報知できる。その結果、所定箇所への物体の置き忘れを更に効果的に抑制できる。
【００６１】
さらに、実施形態２によれば、発光部７が点灯を持続している期間（例えば、第２期間Ｐ２）中に、人が動いたことを人検知部２１が検知した場合に、発光部７が点滅する。従って、例えば、物体の所有者が、点灯を持続している期間中に所用を終了して動くと（例えば、便座から立ち上がってトイレットルームから退出するために動くと）、人検知部２１が物体の所有者である人の動きを検知する。その結果、点灯の持続に代えて、点灯の持続よりも刺激の強い点滅が実行されて、物体の所有者に対して、物体を置き忘れないように効果的な刺激を即座に与えることができる。
【００６２】
次に、図３（ａ）〜図３（ｄ）を参照して、第１発光パターンＰＴ１、第２発光パターンＰＴ２、及び第３発光パターンＰＴ３について説明する。図３（ｃ）は、第２発光パターンＰＴ２を示す図である。図３（ｄ）は、第３発光パターンＰＴ３を示す図である。
【００６３】
図３（ａ）に示すように、照明装置１Ａは入力部９をさらに備えることが好ましい。入力部９は、照明装置１Ａの管理者によって操作され、発光パターンの選択情報ＳＬの入力を管理者から受け付ける。選択情報ＳＬは、実施形態１に係る選択情報ＳＬと同様である。
【００６４】
図３（ｂ）に示すように、選択情報ＳＬが第１発光パターンＰＴ１を示している場合に、物体が所定箇所に位置することを物体検知部５が検知するとともに、人が動いたことを人検知部２１が検知すると、第１発光パターンＰＴ１に従って発光部７が光を出射するように、制御部３は発光部７を制御する。
【００６５】
図３（ｃ）に示すように、選択情報ＳＬが第２発光パターンＰＴ２を示している場合に、物体が所定箇所に位置することを物体検知部５が検知するとともに、人が動いたことを人検知部２１が検知すると、制御部３は、第２発光パターンＰＴ２に従って発光部７が光を出射するように、発光部７を制御する。
【００６６】
具体的には、物体が所定箇所に位置することを時刻ｔ０に物体検知部５が検知する。そして、人が動いたことを時刻ｔ０よりも後の時刻ｔ１に人検知部２１が検知すると、発光部７が第３期間Ｐ３に点灯を持続するように、発光部７を制御する。
【００６７】
第３期間Ｐ３の経過後において、物体が所定箇所に位置することを物体検知部５が検知している限り、人が動いたことを人検知部２１が再び検知すると、第２発光パターンＰＴ２に従って光を出射するように、制御部３が発光部７を制御する。
【００６８】
図３（ｄ）に示すように、選択情報ＳＬが第３発光パターンＰＴ３を示している場合に、物体が所定箇所に位置することを物体検知部５が検知するとともに、人が動いたことを人検知部２１が検知すると、制御部３は、第３発光パターンＰＴ３に従って発光部７が光を出射するように、発光部７を制御する。
【００６９】
具体的には、物体が所定箇所に位置することを時刻ｔ０に物体検知部５が検知する。そして、人が動いたことを時刻ｔ０よりも後の時刻ｔ１に人検知部２１が検知すると、発光部７が第４期間Ｐ４に周期Ｔ２で点滅するように、発光部７を制御する。
【００７０】
第４期間Ｐ４の経過後において、物体が所定箇所に位置することを物体検知部５が検知している限り、人が動いたことを人検知部２１が再び検知すると、第３発光パターンＰＴ３に従って光を出射するように、制御部３が発光部７を制御する。
【００７１】
なお、第１期間Ｐ１〜第４期間Ｐ４のいずれかで、物体が所定箇所から離間したことを物体検知部５が検知した場合は、発光部７が消灯するように、制御部３は発光部７を制御する。従って、電力の消費を抑制できる。
【００７２】
また、第２期間Ｐ２又は第３期間Ｐ３に、人が動いたことを人検知部２１が検知した場合に、発光部７が点滅するように、制御部３は発光部７を制御することが好ましい。
【００７３】
以上、図３（ａ）〜図３（ｄ）を参照して説明したように、実施形態２によれば、照明装置１Ａの管理者は、入力部９を操作して、第１発光パターンＰＴ１〜第３発光パターンＰＴ３のうちから所望の発光パターンを選択できる。その結果、管理者は、照明装置１Ａの周囲環境に応じた適切な発光パターンを選択できる。また、実施形態２によれば、実施形態１と同様に、物体の所有者に対して、物体が所定箇所に載置されていることを、照明装置１Ａの周囲環境に応じた適切な発光パターンによって報知できる。その結果、所定箇所への物体の置き忘れを更に効果的に抑制できる。
【００７４】
次に、図２を参照して、照明装置１Ａの制御部３について説明する。照明装置１Ａの制御部３の構成は、図２を参照して説明した照明装置１の制御部３の構成と同様である。ただし、物体が所定箇所に位置することを物体検知部５が検知するとともに、人が動いたことを人検知部２１が検知すると、入力部９からの選択情報ＳＬによって示される発光パターンに従って光を出射するように、マイクロコンピューター１３は点灯回路１５を制御する。そして、点灯回路１５は、マイクロコンピューター１３の制御に従って発光部７に電力を供給する。その結果、発光部７は、選択情報ＳＬによって示される発光パターンに従った光を出射する。
【００７５】
（実施形態３）
次に、図３（ａ）及び図４（ａ）〜図６（ｃ）を参照して、本発明の実施形態３に係る照明装置１Ａについて説明する。実施形態３に係る照明装置１Ａの構成は、図３（ａ）を参照して説明した実施形態２に係る照明装置１Ａの構成と同様である。実施形態３は、９つの報知パターンを有する点で、実施形態１及び実施形態２と主に異なる。以下、実施形態３が実施形態１及び実施形態２と相違する点を主に説明する。
【００７６】
図４（ａ）及び図４（ｂ）は、それぞれ、第１報知パターンＡＬ１及び第２報知パターンＡＬ２を示す図である。図５（ａ）〜図５（ｄ）は、それぞれ、第３報知パターンＡＬ３〜第６報知パターンＡＬ６を示す図である。図６（ａ）〜図６（ｃ）は、それぞれ、第７報知パターンＡＬ７〜第９報知パターンＡＬ９を示す図である。
【００７７】
図３（ａ）に示すように、入力部９は、報知パターンの選択情報ＳＬの入力を管理者から受け付ける。報知パターンの選択情報ＳＬは、第１報知パターンＡＬ１〜第９報知パターンＡＬ９のうちのいずれかの報知パターンを示す。
【００７８】
そして、図４（ａ）〜図６（ｃ）に示すように、物体検知部５の検知結果と人検知部２１の検知結果とに基づいて、第１報知パターンＡＬ１〜第９報知パターンＡＬ９のうちのいずれかの報知パターンに従って発光部７が光を出射するように、制御部３は発光部７を制御する。
【００７９】
すなわち、図４（ａ）に示すように、選択情報ＳＬが第１報知パターンＡＬ１を示している場合に、発光部７は、第１報知パターンＡＬ１に従って光を出射する。
【００８０】
具体的には、第１報知パターンＡＬ１は、図１（ｃ）を参照して説明した第２発光パターンＰＴ２を示しており、第１０期間Ｐ１０での発光部７の点灯の持続を含む。そして、物体が所定箇所に位置することを時刻ｔ０に物体検知部５が検知すると、発光部７が第１０期間Ｐ１０に点灯を持続するように、制御部３は発光部７を制御する。第１０期間Ｐ１０は、例えば、３０分である。
【００８１】
また、図４（ｂ）に示すように、選択情報ＳＬが第２報知パターンＡＬ２を示している場合に、発光部７は、第２報知パターンＡＬ２に従って光を出射する。
【００８２】
具体的には、第２報知パターンＡＬ２は、図１（ｄ）を参照して説明した第３発光パターンＰＴ３を示しており、第１１期間Ｐ１１での発光部７の点滅を含む。そして、物体が所定箇所に位置することを時刻ｔ０に物体検知部５が検知すると、発光部７が第１１期間Ｐ１１に周期Ｔａで点滅するように、制御部３は発光部７を制御する。第１１期間Ｐ１１は、例えば、３０分である。周期Ｔａは、例えば、０．７５秒である。
【００８３】
さらに、図５（ａ）に示すように、選択情報ＳＬが第３報知パターンＡＬ３を示している場合に、発光部７は、第３報知パターンＡＬ３に従って光を出射する。
【００８４】
具体的には、第３報知パターンＡＬ３は、図１（ｂ）を参照して説明した第１発光パターンＰＴ１を示しており、第１２期間Ｐ１２での発光部７の点滅と、第１３期間Ｐ１３での発光部７の点灯の持続とを含む。そして、物体が所定箇所に位置することを時刻ｔ０に物体検知部５が検知すると、発光部７が第１２期間Ｐ１２に周期Ｔｂで点滅するように、制御部３は発光部７を制御する。次に、制御部３は、発光部７の点滅を終了して、発光部７が第１３期間Ｐ１３に点灯を持続するように、発光部７を制御する。第１３期間Ｐ１３は、第１２期間Ｐ１２に後続する期間である。第１２期間Ｐ１２は、例えば、１０分である。第１３期間Ｐ１３は、例えば、２０分である。周期Ｔｂは、例えば、０．７５秒である。
【００８５】
さらに、図５（ｂ）に示すように、選択情報ＳＬが第４報知パターンＡＬ４を示している場合に、発光部７は、第４報知パターンＡＬ４に従って光を出射する。
【００８６】
具体的には、第４報知パターンＡＬ４は、図１（ｂ）を参照して説明した第１発光パターンＰＴ１を示しており、第１４期間Ｐ１４での発光部７の点滅と、無期限の第１５期間Ｐ１５での発光部７の点灯の持続とを含む。そして、物体が所定箇所に位置することを時刻ｔ０に物体検知部５が検知すると、発光部７が第１４期間Ｐ１４に周期Ｔｃで点滅するように、制御部３は発光部７を制御する。次に、制御部３は、発光部７の点滅を終了して、発光部７が第１５期間Ｐ１５に点灯を持続するように、発光部７を制御する。第１５期間Ｐ１５は、第１４期間Ｐ１４に後続する期間である。第１４期間Ｐ１４は、例えば、１０分である。周期Ｔｃは、例えば、０．７５秒である。
【００８７】
ただし、任意の時刻ｔｅで、物体が所定箇所から離間したことを物体検知部５が検知した場合には、発光部７が消灯するように、制御部３は発光部７を制御する。従って、電力の消費を抑制できる。
【００８８】
さらに、図５（ｃ）に示すように、選択情報ＳＬが第５報知パターンＡＬ５を示している場合に、発光部７は、第５報知パターンＡＬ５に従って光を出射する。
【００８９】
具体的には、第５報知パターンＡＬ５は、図１（ｂ）を参照して説明した第１発光パターンＰＴ１を示しており、第１６期間Ｐ１６での発光部７の点滅と、第１７期間Ｐ１７での発光部７の点灯の持続とを含む。そして、物体が所定箇所に位置することを時刻ｔ０に物体検知部５が検知すると、発光部７が第１６期間Ｐ１６に周期Ｔｄで点滅するように、制御部３は発光部７を制御する。その結果、例えば、発光部７は、第１６期間Ｐ１６に第１所定回数（例えば、３回）だけ点灯する。
【００９０】
次に、制御部３は、発光部７の点滅を終了して、発光部７が第１７期間Ｐ１７に点灯を持続するように、発光部７を制御する。第１７期間Ｐ１７は、第１６期間Ｐ１６に後続する期間である。第１６期間Ｐ１６は、例えば、０．７５秒である。第１７期間Ｐ１７は、例えば、２０分である。周期Ｔｄは、例えば、０．２５秒である。
【００９１】
さらに、図５（ｄ）に示すように、選択情報ＳＬが第６報知パターンＡＬ６を示している場合に、発光部７は、第６報知パターンＡＬ６に従って光を出射する。
【００９２】
具体的には、第６報知パターンＡＬ６は、図１（ｂ）を参照して説明した第１発光パターンＰＴ１を繰り返すことを示しており、第１発光パターンＰＴ１の各々は、第１８期間Ｐ１８での発光部７の点滅と、第１９期間Ｐ１９での発光部７の点灯の持続とを含む。そして、物体が所定箇所に位置することを時刻ｔ０に物体検知部５が検知すると、発光部７が第１８期間Ｐ１８に周期Ｔｅで点滅するように、制御部３は発光部７を制御する。その結果、例えば、発光部７は、第１８期間Ｐ１８に第２所定回数（例えば、３回）だけ点灯する。
【００９３】
次に、制御部３は、発光部７の点滅を終了して、発光部７が第１９期間Ｐ１９に点灯を持続するように、発光部７を制御する。第１９期間Ｐ１９は、第１８期間Ｐ１８に後続する期間である。第１８期間Ｐ１８は、例えば、０．７５秒である。第１９期間Ｐ１９は、例えば、１分である。周期Ｔｅは、例えば、０．２５秒である。
【００９４】
また、制御部３は、第１発光パターンＰＴ１を無期限に繰り返すように、発光部７を制御する。ただし、物体が所定箇所から離間したことを物体検知部５が検知した場合に、発光部７が消灯するように、制御部３は発光部７を制御する。従って、電力の消費を抑制できる。
【００９５】
さらに、図６（ａ）に示すように、選択情報ＳＬが第７報知パターンＡＬ７を示している場合に、発光部７は、第７報知パターンＡＬ７に従って光を出射する。
【００９６】
具体的には、第７報知パターンＡＬ７は、図３（ｂ）を参照して説明した第１発光パターンＰＴ１を繰り返すことを示しており、第１発光パターンＰＴ１の各々は、第２０期間Ｐ２０での発光部７の点滅と、第２１期間Ｐ２１での発光部７の点灯の持続とを含む。そして、物体が所定箇所に位置することを時刻ｔ０に物体検知部５が検知する。そして、人が動いたことを時刻ｔ１に人検知部２１が検知すると、発光部７が第２０期間Ｐ２０に周期Ｔｆで点滅するように、制御部３は発光部７を制御する。その結果、例えば、発光部７は、第２０期間Ｐ２０に第３所定回数（例えば、３回）だけ点灯する。
【００９７】
次に、制御部３は、発光部７の点滅を終了して、発光部７が第２１期間Ｐ２１に点灯を持続するように、発光部７を制御する。第２１期間Ｐ２１は、第２０期間Ｐ２０に後続する期間である。第２０期間Ｐ２０は、例えば、０．７５秒である。第２１期間Ｐ２１は、例えば、２０分である。周期Ｔｆは、例えば、０．２５秒である。
【００９８】
第２１期間Ｐ２１の経過後において、物体が所定箇所に位置することを物体検知部５が検知している限り、人が動いたことを人検知部２１が再び検知すると、第１発光パターンＰＴ１に従って発光部７が光を出射するように、制御部３が発光部７を制御する。
【００９９】
さらに、図６（ｂ）に示すように、選択情報ＳＬが第８報知パターンＡＬ８を示している場合に、発光部７は、第８報知パターンＡＬ８に従って光を出射する。
【０１００】
具体的には、第８報知パターンＡＬ８は、図３（ｂ）を参照して説明した第１発光パターンＰＴ１を繰り返すことを示しており、第２２期間Ｐ２２での発光部７の点滅と、第２３期間Ｐ２３及び第２４期間Ｐ２４での発光部７の点灯の持続とを含む。そして、物体が所定箇所に位置することを時刻ｔ０に物体検知部５が検知する。そして、人が動いたことを時刻ｔ１に人検知部２１が検知すると、発光部７が第２２期間Ｐ２２に周期Ｔｇで点滅するように、制御部３は発光部７を制御する。その結果、例えば、発光部７は、第２２期間Ｐ２２に第４所定回数（例えば、３回）だけ点灯する。
【０１０１】
次に、制御部３は、発光部７の点滅を終了して、発光部７が第２３期間Ｐ２３と第２４期間Ｐ２４とに点灯を持続するように、発光部７を制御する。第２３期間Ｐ２３は、第２２期間Ｐ２２に後続する期間である。第２４期間Ｐ２４は、第２３期間Ｐ２３に後続する期間である。第２２期間Ｐ２２は、例えば、０．７５秒である。第２３期間Ｐ２３は、例えば、１０秒である。第２４期間Ｐ２４は、例えば、２０分である。周期Ｔｇは、例えば、０．２５秒である。
【０１０２】
第２４期間Ｐ２４の経過後において、物体が所定箇所に位置することを物体検知部５が検知している限り、人が動いたことを人検知部２１が再び検知すると、第１発光パターンＰＴ１に従って光を出射するように、制御部３が発光部７を制御する。
【０１０３】
また、人が動いたことを人検知部２１が第２４期間Ｐ２４に検知した場合に、発光部７が点滅するように、制御部３は発光部７を制御する。
【０１０４】
ただし、第２３期間Ｐ２３では、人が動いたことを人検知部２１が検知した場合でも、発光部７が点灯を持続するように、制御部３は発光部７を制御する。
【０１０５】
さらに、図６（ｃ）に示すように、選択情報ＳＬが第９報知パターンＡＬ９を示している場合に、発光部７は、第９報知パターンＡＬ９に従って光を出射する。
【０１０６】
具体的には、第９報知パターンＡＬ９は、図３（ｄ）を参照して説明した第３発光パターンＰＴ３を示しており、第２５期間Ｐ２５での発光部７の点滅を含む。そして、物体が所定箇所に位置することを時刻ｔ０に物体検知部５が検知する。そして、人が動いたことを時刻ｔ１に人検知部２１が検知すると、発光部７が第２５期間Ｐ２５に周期Ｔｈで点滅するように、制御部３は発光部７を制御する。第２５期間Ｐ２５は、例えば、１分である。周期Ｔｈは、例えば、１秒である。
【０１０７】
なお、第１０期間Ｐ１０〜第２５期間Ｐ２５で、物体が所定箇所から離間したことを物体検知部５が検知した場合は、発光部７が消灯するように、制御部３は発光部７を制御する。従って、電力の消費を抑制できる。
【０１０８】
また、第２１期間Ｐ２１又は第２４期間Ｐ２４に、人が動いたことを人検知部２１が検知した場合に、発光部７が点滅するように、制御部３は発光部７を制御することが好ましい。
【０１０９】
以上、図３（ａ）及び図４（ａ）〜図６（ｃ）を参照して説明したように、実施形態３によれば、実施形態１及び実施形態２と同様に、所定箇所への物体の置き忘れを効果的に抑制できる。その他、実施形態３は、実施形態１及び実施形態２と同様の効果を有する。
【０１１０】
例えば、第３報知パターンＡＬ３〜第６報知パターンＡＬ６による報知の効果は、図１（ｂ）に示す第１発光パターンＰＴ１による報知の効果と同様である。特に、第６報知パターンＡＬ６では、第１発光パターンＰＴ１が繰り返される。従って、物体の所有者の注意を更に喚起できる。その結果、物体の置き忘れを更に効果的に抑制できる。
【０１１１】
例えば、第７報知パターンＡＬ７及び第８報知パターンＡＬ８による報知の効果は、図３（ｂ）に示す第１発光パターンＰＴ１による報知の効果と同様である。
【０１１２】
また、実施形態３によれば、照明装置１Ａの管理者は、入力部９を操作して、第１報知パターンＡＬ１〜第９報知パターンＡＬ９のうちから所望の報知パターンを選択できる。その結果、管理者は、照明装置１Ａの周囲環境に応じた適切な報知パターンを選択できる。また、実施形態３によれば、実施形態１及び実施形態２と同様に、物体の所有者に対して、物体が所定箇所に載置されていることを、照明装置１Ａの周囲環境に応じた適切な報知パターンによって報知できる。その結果、所定箇所への物体の置き忘れを更に効果的に抑制できる。
【０１１３】
（実施形態４）
次に、図７（ａ）及び図７（ｂ）を参照して、本発明の実施形態４に係る照明装置１Ｂについて説明する。実施形態４に係る照明装置１Ｂは、載置部３０を有する点で、実施形態２に係る照明装置１Ａと主に異なる。照明装置１Ｂのその他の構成は、照明装置１Ａの構成と同様である。以下、実施形態４が実施形態２と異なる点を主に説明する。
【０１１４】
図７（ａ）は、照明装置１Ｂを示す斜視図である。図７（ｂ）は、照明装置１Ｂの内部構成を示す平面図である。図７（ａ）及び図７（ｂ）に示すように、照明装置１Ｂは、制御部３と、物体検知部５と、発光部７と、人検知部２１と、載置部３０と、筐体３２と、光源モジュール３４とを備える。光源モジュール３４は、複数の発光部７を含み、光を出射する。光源モジュール３４は単数の発光部７を含んでもよい。なお、図７（ａ）では、図面の簡略化のため、制御部３を省略している。
【０１１５】
照明装置１Ｂは、実施形態２に係る照明装置１Ａと同様に動作し、例えば、物体の置き忘れを抑制する装置として機能する。例えば、照明装置１Ｂは、トイレットルームの壁面に設置される。
【０１１６】
具体的には、筐体３２は、制御部３と、物体検知部５と、人検知部２１とを収容する。載置部３０は、筐体３２の上部に設置される。実施形態４では、載置部３０は、筐体３２の上部開口を覆うように、筐体３２に設置される。載置部３０は、導光板として機能する。載置部３０は、例えば、略平板形状を有する。載置部３０は、入射面３０ａと、所定箇所としての載置面３０ｂと、端面３０ｃと、端面３０ｄと、端面３０ｅと、裏面３０ｆとを含む。
【０１１７】
載置部３０は、入射面３０ａから入射した光を導光しながら、出射面としての載置面３０ｂから光を出射する。
【０１１８】
具体的には、入射面３０ａは、発光部７と対向している。つまり、発光部７が入射面３０ａに対向するように、光源モジュール３４が筐体３２に設置される。従って、入射面３０ａは、発光部７が出射した光を入射する。入射面３０ａは、載置部３０の１つの端面を構成する。なお、光源モジュール３４は筐体３２の基端側に設置され、人検知部２１は筐体３２の先端側に設置される。
【０１１９】
載置面３０ｂには、手荷物のような物体が載置される。載置面３０ｂは、載置部３０の表面と裏面３０ｆとのうちの表面を構成する。載置面３０ｂは、入射面３０ａから入射した光を出射する。なお、載置面３０ｂは、例えば、入射面３０ａから入射した光を拡散して出射してもよい。
【０１２０】
端面３０ｃ〜端面３０ｅの各々は、入射面３０ａから入射した光を出射しないように遮断してもよいし、入射面３０ａから入射した光を出射してもよい。なお、端面３０ｃ〜端面３０ｅの各々は、例えば、入射面３０ａから入射した光を拡散して出射してもよい。裏面３０ｆは、入射面３０ａから入射した光を出射しないように遮断してもよいし、入射面３０ａから入射した光を出射してもよい。なお、端面３０ｃと端面３０ｅとは対向し、端面３０ｄと入射面３０ａとは対向する。
【０１２１】
物体検知部５は、複数の弾性部材５ａ（実施形態４では２つの弾性部材５ａ）と、リミットスイッチ５ｂとを含む。物体検知部５は単数の弾性部材５ａを含んでもよい。弾性部材５ａの各々は、弾性を有し、例えば、バネ（例えば、コイルバネ又は板バネ）である。弾性部材５ａの各々は、載置部３０の裏面３０ｆに当接して、載置部３０を鉛直上方に付勢している。リミットスイッチ５ｂは、アクチュエーター６を含む。そして、リミットスイッチ５ｂは、アクチュエーター６の動作に応じて、オン又はオフする。アクチュエーター６は、載置部３０の裏面３０ｆに当接している。
【０１２２】
物体が載置面３０ｂに載置されていない場合、載置部３０は、弾性部材５ａの付勢力によって、筐体３２に対して僅かに浮き上がっている。また、物体が載置面３０ｂに載置されていない場合、アクチュエーター６は駆動していない。従って、リミットスイッチ５ｂはオフしている。この場合、リミットスイッチ５ｂは、物体が載置部３０に載置されていないことを示す第１検知信号ＳＧ１を制御部３に出力する。その結果、制御部３は、物体が載置部３０に載置されていないことを認識できる。
【０１２３】
そして、物体が載置面３０ｂに載置されると、物体の荷重によって、載置部３０は、弾性部材５ａの付勢力に抗して筐体３２に向かって沈み込む。従って、アクチュエーター６が駆動して（つまり、アクチュエーター６が押し下げられて）、リミットスイッチ５ｂがオンになる。その結果、物体が載置部３０に載置されたことが検知される。この場合、リミットスイッチ５ｂは、物体が載置部３０に載置されたことを示す第１検知信号ＳＧ１を制御部３に出力する。その結果、制御部３は、物体が載置部３０に載置されたことを認識できる。
【０１２４】
制御部３は、実施形態２に係る制御部３と同様に動作する。つまり、照明装置１Ｂは照明装置１Ａとして機能する。
【０１２５】
すなわち、制御部３は、物体検知部５の検知結果と人検知部２１の検知結果とに基づいて発光部７を制御する。例えば、実施形態２と同様に、物体が所定箇所としての載置面３０ｂに載置されたことを物体検知部５が検知するとともに、人が動いたことを人検知部２１が検知した場合に、第１発光パターンに従って発光部７が光を出射するように、制御部３は発光部７を制御する。その結果、載置面３０ｂから、第１発光パターンに従った光が出射する。
【０１２６】
以上、図７（ａ）及び図７（ｂ）を参照して説明したように、実施形態４によれば、載置部３０が導光板として機能するため、物体が載置面３０ｂに載置されたことを物体検知部５が検知するとともに、人が動いたことを人検知部２１が検知すると、第１発光パターンに従った光が載置部３０から出射される。その結果、載置部３０への物体の置き忘れを効果的に抑制できる。
【０１２７】
その他、実施形態４に係る照明装置１Ｂは、実施形態２に係る照明装置１Ａとして機能するため、実施形態２と同様の効果を有する。
【０１２８】
なお、照明装置１Ｂは、実施形態３に係る照明装置１Ａとして機能することもできる。従って、実施形態４に係る照明装置１Ｂは、実施形態３と同様の効果を有することができる。
【０１２９】
また、照明装置１Ｂは、実施形態１に係る照明装置１として機能することもできる。すなわち、照明装置１Ｂの制御部３は、物体検知部５の検知結果に基づいて発光部７を制御する。例えば、実施形態１と同様に、物体が所定箇所としての載置面３０ｂに載置されたことを物体検知部５が検知した場合に、第１発光パターンに従って発光部７が光を出射するように、制御部３は発光部７を制御する。その結果、載置面３０ｂから、第１発光パターンに従った光が出射する。照明装置１Ｂが実施形態１に係る照明装置１として機能する場合は、照明装置１Ｂは人検知部２１を備えていなくてもよい。その他、実施形態４に係る照明装置１Ｂは、実施形態１に係る照明装置１として機能するため、実施形態１と同様の効果を有することができる。
【０１３０】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【０１３１】
（１）実施形態１〜実施形態４に係る制御部３は、入力部９から入力される情報に従って、点滅の周期（Ｔ１、Ｔ２、Ｔａ〜Ｔｈ）、点滅の期間（Ｐ１、Ｐ４、Ｐ１１、Ｐ１２、Ｐ１４、Ｐ１６、Ｐ１８、Ｐ２０、Ｐ２２、Ｐ２５）、及び点灯の持続の期間（Ｐ２、Ｐ３、Ｐ１０、Ｐ１３、Ｐ１７、Ｐ１９、Ｐ２１、Ｐ２３、Ｐ２４）を変更できる。また、点滅の周期（Ｔ１、Ｔ２、Ｔａ〜Ｔｈ）は、一定に限らず、変動してもよい。さらに、第１発光パターンＰＴ１において、点灯の持続の後に、点滅を実行してもよい。さらに、第１発光パターンＰＴ１において、点滅の期間と点灯の持続の期間とが、同一長さであってもよいし、異なる長さであってもよい。第１発光パターンＰＴ１において、点滅の期間と点灯の持続の期間とが異なる長さである場合、点滅の期間が点灯の持続の期間より長くてもよいし、点滅の期間が点灯の持続の期間より短くてもよい。
【０１３２】
（２）実施形態４に係る照明装置１Ｂにおいて、載置部３０は導光板として機能しなくてもよい。この場合、光源モジュール３４は、載置部３０から離れた任意の位置に設置できる。また、人検知部２１は任意の位置に設置できる。
【０１３３】
（３）実施形態４に係る照明装置１Ｂは、可搬壁部の壁面に設置することができる。例えば、照明装置１Ｂは、トイレットルームを形成するための可搬壁部の壁面に設置することができる。そして、可搬壁部の壁面には、便器を操作するための操作部、トイレットペーパーを掛けるためのペーパーホルダー、手すり、手洗い器、及び便座クリーナーのうちの全部又は一部が設置されてもよい。トイレットルームは、例えば、高速道路のパーキングエリア又はサービスエリアに設置される。
【産業上の利用可能性】
【０１３４】
本発明は、照明装置を提供するものであり、産業上の利用可能性を有する。
【符号の説明】
【０１３５】
１、１Ａ、１Ｂ    照明装置
３    制御部
５    物体検知部
７    発光部
２１    人検知部
３０    載置部
３０ａ    入射面
３０ｂ    載置面
【図１】
2018170094.tif 000003
【図２】
2018170094.tif 000004
【図３】
2018170094.tif 000005
【図４】
2018170094.tif 000006
【図５】
2018170094.tif 000007
【図６】
2018170094.tif 000008
【図７】
2018170094.tif 000009